(57)【要約】【課題】  予めホットメルト接着剤を塗着した板紙に表紙用紙を貼り付けるに際し、熟練なく正確かつ迅速に貼付けることのできる硬質表紙作成機を提供すること。  【解決手段】  本身の表面、背面、裏面にあてがう予め両面にホットメルト接着剤を塗着した３枚の板紙１１ａ〜１１ｃを位置決めする位置決め板１２と、位置決め板１２上の板紙１１ａ〜１１ｃの上面に被せた表紙用紙１０の上面を移動し、その移動で板紙１１ａ〜１１ｃ上面のホットメルト接着剤を溶融して表紙用紙１０を貼り付ける加熱ローラと、板紙１１ａ〜１１ｃから突出する表紙用紙１０の端部１０ａを板紙１１ａ〜１１ｃの端部に沿って移動し、表紙用紙１０の端部１０ａを折り返して板紙１１ａ〜１１ｃの下面端部のホットメルト接着剤を溶融して貼り付ける加熱棒を備えて構成する。【選択図】    図１
2005280291.tif 000002
【特許請求の範囲】
【請求項１】
本身の表面、背面および裏面にあてがう予め両面にホットメルト接着剤を塗着した板紙を所定位置に配列する位置決め板と、前記位置決め板上に配列した板紙の上面を覆って配置した表紙用紙の上面を押圧移動し、前記板紙の上面に塗着したホットメルト接着剤を溶融して前記表紙用紙を前記板紙に貼り付ける加熱ローラと、表紙用紙を上面に貼り付けた板紙を載置する載置台と、前記載置台に載置した前記板紙の端縁および下面に沿って移動し、前記板紙から突出する表紙用紙の端部を前記板紙の下面に折り返すとともに、前記板紙に塗着した下面端部のホットメルト接着剤を溶融して前記表紙用紙の端部を前記板紙の下面端部に貼り付ける加熱棒を備えたことを特徴とする硬質表紙作成機。
【請求項２】
本身の表面、背面および裏面にあてがう予め両面にホットメルト接着剤を塗着した板紙を所定位置に配列する位置決め板に、本身の表面、背面および裏面にあてがう予め両面にホットメルト接着剤を塗着した板紙の縦方向の端縁を位置決めする固定位置決め突部と、前記板紙の横方向の端縁を位置決めする移動可能の可動位置決め突部と、前記固定位置決め突部と平行し、前記板紙の上面を覆って配置する表紙用紙の端縁に当接して位置決めする表紙用紙位置決め突部を設けたことを特徴とする請求項１に記載の硬質表紙作成機。
【請求項３】
板紙の上面に塗着したホットメルト接着剤を溶融して前記表紙用紙を前記板紙に貼り付ける加熱ローラを、位置決め板上に配列した板紙の上面を覆って配置した表紙用紙の上面の一箇所に移動し、その箇所の板紙に塗着したホットメルト接着剤を溶融して表紙用紙を板紙に接着し、そのあと前記表紙用紙の上面の全箇所を移動して板紙に塗着したホットメルト接着剤を溶融して表紙用紙の全面を板紙に貼り付けることを特徴とする請求項１に記載の硬質表紙作成機。
【請求項４】
板紙から突出する表紙用紙の端部を前記板紙の下面に折り返すとともに、前記板紙に予め塗着した下面端部のホットメルト接着剤を溶融して前記表紙用紙の端部を前記板紙の下面端部に貼り付ける加熱棒に、板紙の角部で突出する表紙用紙の端部を折り潰す位置調整可能の突部を設けたことを特徴とする請求項１に記載の硬質表紙作成機。
【請求項５】
表紙用紙を上面に貼り付けた板紙を載置する載置台の板紙を載置する表面を縦方向に湾曲する湾曲面としてなることを特徴とする請求項１に記載の硬質表紙作成機。
【発明の詳細な説明】
【技術分野】
【０００１】
本発明は、硬い表紙を作成する硬質表紙作成機に関する。
【背景技術】
【０００２】
原稿、画稿、印刷物、白紙などの本の中身（本身）を硬い表紙で包んだ冊子や書籍などの製本物がある。このような製本物の硬い表紙を作成するひとつとして、図５（ａ）に示すように本身のひら部表面にあてがう芯紙（以下、板紙という。）１ａ、背面にあてがう板紙１ｂ、ひら部裏面にあてがう板紙１ｃを本身の表面、背面および裏面のそれぞれにあてがう位置に対応して並べ、各板紙１ａ、１ｂ、１ｃの上面に、糊を塗着した１枚のアート紙などの表紙用紙２を被せて貼り付ける。そして、図５（ｂ）に示すように表紙用紙２を貼り付けた板紙１ａ、１ｂ、１ｃを反転し、板紙１ａ、１ｂ、１ｃの外周端縁からはみだした表紙用紙２の端部２ａを、板紙１ａ、１ｂ、１ｃの端縁に沿って折り返し、図５（ｃ）に示すように折り返した表紙用紙２の端部２ａを各板紙１ａ、１ｂ、１ｃの端部に貼り付け、これにより硬い表紙、すなわち硬質表紙３を作成する場合がある。
【０００３】
このようにして作成した硬質表紙３は、図６（ａ）に示すように本身本体４、見返し用紙５および寒冷紗６などを本身本体４の背面に合わせて綴じた本身７と合わせられる。硬質表紙３と本身７とを合わせたあと、図６（ｂ）に示すようイチョウ溝８を形成し、図６（ｃ）に示すように見返し５を硬質表紙３の板紙１ａおよび１ｃに貼付けて、製本を完成させる。
【特許文献１】特開２００２−１９３２８号公報
【０００４】
ところで、上記のような硬質表紙の作成では、表紙用紙に板紙を貼付ける際、表紙用紙の本身の表面にあてがう部分、背面にあてがう部分および裏面にあてがう部分一面に逐次膠をローラあるいは刷毛などによって塗り付ける必要があり、その作業が面倒であるといった問題がある。この問題を解消する手段として、上下両面に予めホットメルト接着剤を塗着した板紙を利用する場合がある。この場合は加熱した鏝あるいはアイロンなどで、表紙用紙の上面から押圧加熱するだけで板紙に表紙用紙を貼付けることができ、その貼付けのための糊を準備する手間や後片付けの手間を簡略化することができる。しかし、表紙用紙を板紙に正確かつ迅速に貼付けるには、熟練を必要とし簡単に行うことができないという問題があった。
【発明の開示】
【発明が解決しようとする課題】
【０００５】
本発明が解決しようとする課題は、上下両面に予めホットメルト接着剤を塗着した板紙に表紙用紙を貼り付けるに際し、熟練を要することなく正確かつ迅速に貼付けることのできる硬質表紙作成機を提供し、もって斯かる問題を解消する点である。
【課題を解決するための手段】
【０００６】
本発明に係る硬質表紙作成機は、本身の表面、背面および裏面にあてがう予め両面にホットメルト接着剤を塗着した板紙を所定位置に配列する位置決め板と、前記位置決め板上に配列した板紙の上面を覆って配置した表紙用紙の上面を押圧移動し、前記板紙の上面に塗着したホットメルト接着剤を溶融して前記表紙用紙を前記板紙に貼り付ける加熱ローラと、表紙用紙を上面に貼り付けた板紙を載置する載置台と、前記載置台に載置した前記板紙の端縁および下面に沿って移動し、前記板紙から突出する表紙用紙の端部を前記板紙の下面に折り返すとともに、前記板紙に塗着した下面端部のホットメルト接着剤を溶融して前記表紙用紙の端部を前記板紙の下面端部に貼り付ける加熱棒を備えたことを最も主要な特徴とする。
【発明の効果】
【０００７】
本発明では、本身の表面、背面および裏面にあてがう予め両面にホットメルト接着剤を塗着した各板紙を位置決め板の所定の位置に配置し、その上に表紙用紙を配置する作業および表紙用紙を貼り付けた板紙を加熱棒の位置に配置する作業だけで、表紙用紙を板紙に正確に貼付けることができ、硬質表紙の作成に熟練を要することなく迅速に貼付けることができる。
【発明を実施するための最良の形態】
【０００８】
上下両面に予めホットメルト接着剤を塗着した板紙に表紙用紙を貼り付けるに際し、熟練を要することなく正確かつ迅速に貼付けることのできる硬質表紙作成機を提供する目的を、本身の表面、背面および裏面にあてがう各板紙をあてがう位置に応じた所定の位置に位置決めする突部を設けた位置決め板と、前記位置決め板上に配列した板紙の上面に配置した表紙用紙の上面を押圧加熱して移動する加熱ローラと、上面に表紙用紙を貼り付けた板紙を載置する載置台と、前記載置台に載置した表紙用紙を貼り付けた板紙の端縁および下面に沿って移動し、板紙から突出する表紙用紙の端部を板紙の下面に折り返して板紙の下面端部に貼り付ける加熱棒とを備えて構成することにより実現した。
【実施例１】
【０００９】
以下、本発明の実施例について図を参照して説明する。図１は実施例に係る硬質表紙作成機の構成を示す斜視図で（ａ）は加熱ローラ部（ｂ）は載置台を除いて加熱棒部を示す斜視図、図２ないし図４は加熱棒部の動作説明図である。なお、上面に表紙用紙を貼り付けた板紙を載置する載置台は図２ないし図４に示す。図１（ａ）において、１０は表紙用紙、１１ａは本身のひら部表面にあてがう予め両面にホットメルト接着剤を塗着した板紙、１１ｂは本身の背面にあてがう予め両面にホットメルト接着剤を塗着した板紙、１１ｃは本身のひら部裏面にあてがう予め両面にホットメルト接着剤を塗着した板紙である。
【００１０】
１２は位置決め板で、位置決め板１２の端部には板紙１１ａ、１１ｂ、１１ｃの縦方向の位置を決める平面より板紙の厚み程度突出する定規板１３と、表紙用紙１０の縦方向の位置を決める定規板１３と平行し定規板１３より突出する定規板１４が固定され、定規板１４の上面２箇所に表紙用紙１０を押さえる押さえ片１５が固定されている。
【００１１】
また、位置決め板１２の中央部には板紙１１ａ、１１ｂ、１１ｃの各板紙の横方向（定規板１３と平行する方向）の位置を決める平面より板紙の厚み程度突出する突起１６（一部図示なし）が設けられ、この突起１６は各板紙のサイズや間隔に対応するために図示しない機構により横方向に移動可能とされている。
【００１２】
すなわち、突起１６を所定の位置に移動して置き、各板紙１１ａ、１１ｂ、１１ｃを突起１６と定規板１３に沿わせて位置決め板１２上に配列し、表紙用紙１０を定規板１４に沿わせて位置決め板１２上に配列した３枚の各板紙１１ａ、１１ｂ、１１ｃの上面を覆って配置する。このとき表紙用紙１０の端部は押さえ片１５により押さえられ、これにより浮き上がって移動することを防止する。なお、１０ａは各板紙１１ａ、１１ｂ、１１ｃから突出する表紙用紙１０の端部である。
【００１３】
１７は加熱ローラで、加熱ローラ１７は両側の端部で支持板１８に回転自在に支持され、内部にヒータが配置されている。支持板１８は位置決め板１２の縦方向の端部間を往復移動する搬送ベルト１９に固定され、搬送ベルト１９の移動により位置決め板１２の縦方向の端部間を移動し、この支持板１８の移動で加熱ローラ１７は位置決め板１２の縦方向の端部間を移動する。支持板１８の下端は位置決め板１２の縦方向の端部間に伸びるリンク２１に当接し、リンク２１はモータ２２の回転でクランク２３を介して上下に移動し、このリンク２１の上下移動により支持板１８および支持板１８に支持した加熱ローラ１７を昇降する。
【００１４】
すなわち、位置決め板１２の縦方向の端部で待機している加熱ローラ１７をリンク２１の上方移動で上昇し、搬送ベルト１９の移動により位置決め板１２上に配列した３枚の各板紙１１ａ、１１ｂ、１１ｃの上面を覆って配置した表紙用紙１０の一箇所たとえば中央位置の上方に移動し、リンク２１の下方移動で下降し、その箇所の板紙に塗着したホットメルト接着剤を溶融して表紙用紙を板紙に接着する。そのあと加熱ローラ１７を上昇して、たとえば位置決め板１２上に配列した３枚の各板紙１１ａ、１１ｂ、１１ｃの縦方向の端縁位置に移動し、その位置から表紙用紙１０の上面を押圧加熱して移動させる。この移動により３枚の各板紙１１ａ、１１ｂ、１１ｃの上面全面に塗着したホットメルト接着剤を溶融し、３枚の各板紙１１ａ、１１ｂ、１１ｃの上面に表紙用紙１０を貼り付ける。
【００１５】
図１（ｂ）において、２５はヒータ２５ａを装着した加熱棒、２６は位置決め突起２６ａを有する板紙位置決め受け台、２７は加熱棒２５と受け台２６を固定する固定金具、２８および２９は加熱棒２５に設けた板紙の角部に位置する表紙用紙に当接する突出片で、突出片２８は加熱棒２５の所定の位置に固定され、突出片２９は固定金具２７に取付けたモータ３０により加熱棒２５に沿って移動し、３枚の板紙の横方向のサイズに対応する位置に配置される。
【００１６】
３１は底板３２と底板３２の横方向の両端で起立する側板３３を有する保持台で、側板３３に固定した支持板３４に受け台２６が上下移動可能に支持されている。３５は第１カム、３６は第２カム、３７は端部に第１カム３５と第２カム３６を固定したカム駆動軸、３８はカム駆動軸３７を駆動するチェーン、３９は第１カム３５の回転により上下に移動するカム従動子、４０は第２カム３６に当接し図示しない機枠に固定され、第２カム３６の回転により保持台３１を縦方向に往復移動させる固定子で、カム駆動軸３７は保持台３１の底板３２に固定した支持板４１に回転自在に支持されている。
【００１７】
カム従動子３９は受け台２６および固定金具２７を介して加熱棒２５に連結されており、加熱棒２５は第１カム３５の回転により昇降移動する。４２は加熱棒２５を保持台３１の底板３２の方向に付勢する引っ張りバネ、４３は機枠に固定されたガイドレールで保持台３１を支持し、このガイドレール４３に沿って保持台３１は縦方向に往復移動する。４４は第２カム３６を固定子４０に当接させる引っ張りワイヤである。
【００１８】
そして、表紙用紙１０に３枚の板紙１１ａ、１１ｂ、１１ｃを貼り付けた用紙を、図２に示すように板紙を下にして縦方向に僅か凹状に湾曲する載置面４５ａを有する載置台４５に載置す  る。たとえば板紙１１ａの横方向の端縁の一辺を先端にし、載置台４５の縦方向に湾曲した載置面４５ａに沿って挿入する。このとき加熱棒２５と受け台２６は第１カム３５と第２カム３６により縦方向の端部最上位置に待機しており、縦方向に湾曲した載置面４５ａに沿って挿入した板紙１１ａの端縁の一辺の先端は受け台２６の位置決め突起２６ａに当接し、この状態で表紙用紙１０に３枚の板紙１１ａ、１１ｂ、１１ｃを貼り付けた用紙は載置台４５に載置される。この載置で図２（ｂ）の拡大図に示すように表紙用紙１０の端部１０ａは受け台２６から突出している。なお、載置台４５の載置面４５ａを縦方向に凹状に湾曲させているのは、表紙用紙１０を貼り付けた板紙１１ａ、１１ｂ、１１ｃが湾曲している場合が多く、この湾曲が縦方向に凹状であるとき板紙の先端が受け台２６の位置決め突起２６ａを乗り越えるので、この乗り越えを防止するためである。
【００１９】
載置台４５に表紙用紙１０に３枚の板紙１１ａ、１１ｂ、１１ｃを貼り付けた用紙を位置決め載置したあと、カム駆動軸３７が駆動し、第１カム３５の回転で図３に示すように加熱棒２５が真下に移動し、図３（ｂ）の拡大図に示すように表紙用紙１０の端部１０ａを板紙１１ａの端縁に沿って９０度下方に折り曲げる。つづいて第２カム３６の回転で図４に示すように加熱棒２５が縦方向に前進移動し、９０度下方に折り曲げた表紙用紙１０の端部１０ａを、図４（ｂ）の拡大図に示すように板紙１１ａの下面に沿って折り曲げる。
【００２０】
加熱棒２５はヒータ２５ａにより終始加熱されており、この熱で板紙１１ａの下面に塗着したホットメルト接着剤を溶融し、表紙用紙１０の端部１０ａを板紙１１ａの下面の端部に貼り付ける。また、これら折り曲げ動作により加熱棒２５に設けた突出片２８、２９で板紙１１ａの角部で突出する表紙用紙１０の端部１０ａを折り潰し板紙１１ａの角部を整える。以上の動作を表紙用紙１０に３枚の板紙１１ａ、１１ｂ、１１ｃを貼り付けた用紙の縦方向および横方向の各端縁の４辺に対して行い、硬質の表紙を完成させる。
【図面の簡単な説明】
【００２１】
【図１】本発明の実施例に係る硬質表紙作成機の構成を示す斜視図で（ａ）は加熱ローラ部（ｂ）は加熱棒部を示す斜視図である。
【図２】図１に示す硬質表紙作成機の加熱棒部の動作説明図である。
【図３】図１に示す硬質表紙作成機の加熱棒部の動作説明図である。
【図４】図１に示す硬質表紙作成機の加熱棒部の動作説明図である。
【図５】硬質表紙の作成工程を示す流れ図である。
【図６】硬質表紙を用いた製本工程図である。
【符号の説明】
【００２２】
１０  表紙用紙
１１ａ〜１１ｃ  板紙
１２  位置決め板
１３、１４  定規板
１５  押さえ片
１６  位置決め突起
１７  加熱ローラ
１８  支持板
１９  搬送ベルト
２１  リンク
２２  モータ
２３  クランク
２５  加熱棒
２６  受け台
２６ａ  位置決め突起
２７  固定金具
２８、２９  突出片
３１  保持台
３２  底板
３３  側板
３４  支持板
３５  第１カム
３６  第２カム
３７  カム駆動軸
３８  駆動チェーン
３９  従動子
４０  固定子
４１  支持板
４３  ガイドレール
４５  載置台
４５ａ  湾曲載置面
【図１】
2005280291.tif 000003
【図２】
2005280291.tif 000004
【図３】
2005280291.tif 000005
【図４】
2005280291.tif 000006
【図５】
2005280291.tif 000007
【図６】
2005280291.tif 000008